【手続補正書】
【提出日】平成28年3月11日(2016.3.11)
【手続補正１】
【補正対象書類名】特許請求の範囲
【補正対象項目名】請求項４
【補正方法】変更
【補正の内容】
【請求項４】
釣り糸の情報を表示する演算部をさらに備え、
前記側面収容部には、前記演算部に電力を供給する電源部が少なくとも収容されている、請求項２又は３記載の両軸受リール。
【手続補正２】
【補正対象書類名】特許請求の範囲
【補正対象項目名】請求項７
【補正方法】変更
【補正の内容】
【請求項７】
前記リール本体の前記釣り竿装着部から離れた位置に設けられたカウンタケースと、
前記カウンタケースに収容され、前記演算部で算出された前記釣り糸の長さを表示する表示ユニットと、をさらに備え、
前記演算部は、前記カウンタケースに収容される、請求項４から６のいずれか１項に記載の両軸受リール。
【手続補正３】
【補正対象書類名】明細書
【補正対象項目名】全文
【補正方法】変更
【補正の内容】
【発明の詳細な説明】
【発明の名称】両軸受リール
【技術分野】
【０００１】
本発明は、両軸受リール、特に、釣り竿を装着可能であり、釣り糸を前方に繰り出す両軸受リールに関する。
【背景技術】
【０００２】
両軸受リールは、一般に、リール本体と、リール本体に軸受によって支持されるスプールと、を備えている。両軸受リールにおいて、リール本体の上部又は側部に仕掛けの水深を表示する液晶ディスプレイを用いたカウンタと呼ばれる表示ユニットを配置したものが知られている（例えば、特許文献１参照）。従来の両軸受リールのリール本体のフレームとハンドル装着側と逆側の第１側カバーとの間の空間に、表示ユニットの電源としての例えば電池が収容される。
【０００３】
フレームはハンドル装着側と逆側の第１側板と、第１側板と対向して配置される第２側板と、を有している。この第１側板と第２側板との間にスプールが配置される。スプールは、スプール軸を介してリール本体に回転自在に支持される。スプール軸のハンドル装着側と逆側の端部は、第１側板にスプールに向かって突出して設けられる軸受収容部に収容された軸受によって支持される。
【先行技術文献】
【特許文献】
【０００４】
【特許文献１】特開２００７−１９５４３３号公報
【発明の概要】
【発明が解決しようとする課題】
【０００５】
このような従来の両軸受リールでは、スプール軸の端部及び軸受収容部が第１側板に向かって突出しているため、電源を収容するための空間を確保するため空間が制限され、また、外観デザインにおいても、そのデザイン性が制限される。さらに、第１側カバーと第１側板との間の空間が大きくなり、これにより、両軸受リールのスプール軸方向の長さが長くなる。
【０００６】
本発明の課題は、両軸受リールのスプール軸方向の長さを短くすることにある。
【課題を解決するための手段】
【０００７】
本発明に係る両軸受リールは、釣り竿を装着可能であり、釣り糸を前方に繰り出す両軸受リールである。両軸受リールは、ハンドルと、リール本体と、スプールと、スプール軸と、を備える。リール本体は、第１側板及び第１側板に対向する第２側板を含むフレーム、並びにフレームに設けられ、釣り竿を装着可能な釣り竿装着部を有する。リール本体は、ハンドルが第２側板側に設けられる。スプールは、釣り糸を巻き付け可能な筒状の糸巻胴部、糸巻胴部の両側方に糸巻胴部よりも大径に形成された一対のフランジ部、及び糸巻胴部の内周側に糸巻胴部と一体形成された取付部を有する。スプール軸は、取付部に一体回転可能に連結され、リール本体に回転自在に支持される。第１側板は、糸巻胴部の内周側に延びる筒状の軸受収容部を有する。スプール軸の第１側板側の第１端部は、糸巻胴部の内周側で軸受収容部に収容された第１軸受によって軸受収容部に回転自在に支持される。
【０００８】
この両軸受リールでは、スプール軸の第１端部が糸巻胴部の内周側に延びる軸受収容部に収容された第１軸受によって支持される。このため、スプール軸の第１側板側の第１端が従来の両軸受リールに比べてハンドル側に近づいた位置で第１軸受によって支持される。これにより、第１側板を可及的にスプールに近づけることができ、両軸受リールのスプール軸方向の長さを短くすることができる。
【０００９】
第１側板は、軸受収容部に延設された側面収容部をさらに有してもよい。この場合には、ハンドル側に近づいた第１側板が軸受収容部に延設された側面収容部を有するので、側面収容部に電源等の部品を装着しても両軸受リールのスプール軸方向の長さを短くすることができる。
【００１０】
側面収容部は、スプールの第１側板側のフランジ部の内周側に一部が配置されてもよい。この場合には、側面収容部の一部がスプールのフランジ部の内周側に配置されるので、側面収容部がさらにハンドル側に接近する。これにより、側面収容部を設けても、両軸受リールのスプール軸方向の長さをさらに短くすることができる。
【００１１】
両軸受リールは、釣り糸の情報を表示する演算部をさらに備えてもよい。側面収容部には、演算部に電力を供給する電源部が少なくとも収容されている。この場合には、比較的体積が大きい電源部を側面収容部に収容しても両軸受リールのスプール軸方向の長さを短くすることができる。
【００１２】
演算部は、回転検出部と、回転方向検出部と、糸長算出部と、を有してもよい。回転検出部は、スプールの回転を検出する。回転方向検出部は、回転検出部の検出結果によってスプールの回転方向を検出する。糸長算出部は、回転検出部および回転方向検出部の検出結果によって、巻き取りまたは繰り出した釣り糸の長さを算出する。この場合には、糸長を算出することによって仕掛けの水深を得ることができる。
【００１３】
演算部は、回転検出部の検出結果によって、スプールの巻き取り速さまたは繰り出し速さを算出する速度算出部、を有してもよい。この場合には、糸巻取時と糸繰り出し時とでスプールの速度を得ることができる。
【００１４】
両軸受リールは、リール本体の釣り竿装着部から離れた位置に設けられたカウンタケースと、カウンタケースに収容され、演算部で算出された釣り糸の長さを表示する表示ユニットと、をさらに備えてもよい。この場合に、仕掛けの水深を釣り人が認識でき、魚が群れている棚位置に仕掛けを配置しやすい。
【００１５】
演算部は、カウンタケースに収容されてもよい。この場合には、演算部を側面収容部に配置しなくてもよいので、演算部を設けても、両軸受リールのスプール軸方向の長さを短くすることができる。
【００１６】
リール本体は、第１側板の外方を覆う第１側カバーと、第２側板の外方を覆う第２側カバーと、をさらに有してもよい。スプール軸の第１端部とは反対側の第２端部は、第２側カバーに装着される第２軸受によって第２側カバーに回転自在に支持される。この場合には、第１側カバー及び第２側カバーが設けられるので、両軸受リールの内部の機構が外部に露出しない。
【００１７】
側面収容部は、第１側カバーによって塞がれてもよい。この場合には、側面収容部に電源等の電気部品を収納しても、電気部品に絶縁不良等の不具合が生じにくい。
【発明の効果】
【００１８】
本発明によれば、スプール軸の第１側板側の第１端が従来の両軸受リールに比べてハンドル側に近づいた位置で第１軸受によって支持される。これにより、第１側板を可及的にスプールに近づけることができ、両軸受リールのスプール軸方向の長さを短くすることができる。
【図面の簡単な説明】
【００１９】
【図１】本発明の一実施形態による両軸受リールの斜視図。
【図２】両軸受リールの平面図。
【図３】両軸受リールの背面断面図。
【図４】第１側カバーを外した状態の両軸受リールの側面一部断面図。
【図５】両軸受リールの制御系の構成を示すブロック図。
【発明を実施するための形態】
【００２０】
図１及び図２において、本発明の一実施形態を採用した両軸受リール１０は、水深表示機能を有する手巻きの小型のリールである。
【００２１】
両軸受リール１０は、釣り竿に装着されるリール本体１１と、ハンドル１２と、スタードラグ１３と、スプール１４と、スプール軸２６と、カウンタケース１５と、を主に備えている。また、両軸受リール１０は、図５に示すように、表示ユニット２０と、制御用の演算部３０をさらに備えている。
【００２２】
図１及び図２に示すように、ハンドル１２は、リール本体１１の側方に配置されたスプール回転用のものである。スタードラグ１３は、ハンドル１２のリール本体１１側に配置されたドラグ調整用のものである。
【００２３】
スプール１４は、リール本体１１に回転自在に装着された釣り糸巻付用のものである。スプール１４は、図３に示すように、釣り糸が巻き付けられる筒状の糸巻胴部１４ａと、糸巻胴部１４ａの両端に大径に形成された左右一対の第１フランジ部１４ｂ及び第２フランジ部１４ｃと、を有する。第１フランジ部１４ｂは、ハンドル１２と逆側に設けられ、第２フランジ部１４ｃは、ハンドル１２側に設けられる。糸巻胴部１４ａの内周側には、スプール軸２６が一体回転可能に連結される筒状の取付部１４ｄが設けられる。取付部１４ｄは、円板状の連結部１４ｅを介して糸巻胴部１４ａと一体形成される。したがって、スプール１４の糸巻胴部１４ａの内周側には空間が形成される。第１フランジ部１４ｂの外周部には、スプール１４の回転速度及び回転方向を検出するために検出子としての磁石２７が１８０度間隔を隔てて配置されている。
【００２４】
スプール軸２６の一端（図３左端）は、第１軸受２５ａによってリール本体１１の後述する第１側板１７ａに回転自在に支持される。スプール軸２６の他端（図３右端）は、リール本体１１の後述する第２側カバー１８ｂに設けられるボス部１８ｃに、第２軸受２５ｂによって回転自在に支持される。
【００２５】
リール本体１１は、図３に示すように、フレーム１７と、フレーム１７の左右側面を覆う第１側カバー１８ａ及び第２側カバー１８ｂと、フレーム１７の前部を覆う前カバー１９（図２参照）と、両軸受リール１０を釣り竿に装着するための釣り竿装着部１７ｄと、を有している。フレーム１７は、左右１対の第１側板１７ａ及び第２側板１７ｂと、第１側板１７ａ及び第２側板１７ｂと一体形成され、第１側板１７ａと第２側板１７ｂとを連結する複数の連結部１７ｃと、を有している。釣り竿装着部１７ｄは、下側の連結部１７ｃに一体形成される。第１側板１７ａと第２側板１７ｂの間に、ハンドル１２に連結されたスプール１４が配置される。
【００２６】
第１側板１７ａは、図３及び図４に示すように，スプール１４が通過可能な円形の開口２２ａを有する側板本体２２と、側板本体２２の開口２２ａに着脱可能に固定される軸支持部２４と、を有する。
【００２７】
軸支持部２４は、開口２２ａに装着される装着部２４ａと、スプール１４の糸巻胴部１４ａの内周側に延びる筒状の軸受収容部２４ｂ（図３参照）と、軸受収容部２４ｂと一体形成された電源収容部２４ｃと、を有する。電源収容部２４ｃは、フレーム１７の側面である第１側板１７ａに設けられる側面収容部の一例である。装着部２４ａは開口２２ａに嵌合するように円形に形成され、複数本（例えば４本）のねじ部材２８（図４参照）によって側板本体２２に固定される。図４に示すように、装着部２４ａの外側面には、スプール１４の回転速度及び回転方向を検出するためのスプールセンサ３６を構成する磁気検出器３６ａ，３６ｂが配置されている。磁気検出器３６ａ，３６ｂは、例えばリードスイッチ又はホール素子などの磁力を検出可能なセンサである。磁気検出器３６ａ，３６ｂは、磁石２７と対向可能な位置にスプール１４の回転方向に並べて配置されている。ここでは、磁気検出器３６ａは磁気検出器３６ｂよりもスプール１４の矢符Ｒで示す糸巻取回転方向の上流側に配置される。磁石２７の通過により磁気検出器３６ａ，３６ｂのいずれが先にオンしたかにより、スプール１４の回転方向を検出できる。また、磁気検出器３６ａ，３６ｂの出力パルスを計数することにより、スプール回転数を検出できる。スプール回転数は、スプール１４の回転速度ではなく、釣り糸の巻き取りを開始してからスプール１４が何回転したかを表しており、スプールの回転位置を示している。また、単位時間当たりの出力パルスの数によってスプール１４の回転速度を検出できる。
【００２８】
軸受収容部２４ｂには、内周部にスプール軸２６の一端を支持する第１軸受２５ａが収容される。軸受収容部２４ｂは、スプール１４の糸巻胴部１４ａの内周側に延びている。したがって、第１軸受２５ａは、糸巻胴部１４ａの内周側に配置される。
【００２９】
電源収容部２４ｃは、軸受収容部２４ｂに延設される。電源収容部２４ｃは、底部２４ｄを有し、軸受収容部２４ｂよりも大径の円筒状の部材である。電源収容部２４ｃは、第１側カバー１８ａに向かって開口する。電源収容部２４ｃの一部、具体的には、電源収容部２４ｃの軸受収容部２４ｂ側の底部２４ｄは、第１フランジ部１４ｂの内周側に配置される。電源収容部２４ｃは、第１側カバー１８ａによって塞がれる。電源収容部２４ｃには、電源部３１を構成する、例えばリチウムイオン充電池等のボタン型の二次電池３１ｂ（図５参照）が入った電池ケース３５が収容され固定されている。
【００３０】
ハンドル１２と逆側の第１側カバー１８ａは、円形の開口１８ｄを有するカバー本体１８ｅと、開口１８ｄに着脱可能に装着される蓋部材１８ｆと、を有する。この蓋部材１８ｆが電源収容部２４ｃを覆う。蓋部材１８ｆは、例えば、開口１８ｄにねじ結合によって着脱可能に装着される。
リール本体１１の釣り竿装着部１７ｄから離れた位置である上部には、カウンタケース１５が設けられている。カウンタケース１５は、フレーム１７の前部上面に位置決めして載置され、図示しないねじ部材によってフレーム１７に固定されている。カウンタケース１５は、第１側カバー１８ａ、第２側カバー１８ｂ及び前カバー１９により三方を囲まれている。
【００３１】
ハンドル１２は、例えば、炭素繊維強化樹脂製であり、略同一の厚みでハンドル１２の回転軸方向の外方に僅かに突出して剛性を高めた構造である。
【００３２】
リール本体１１の後部（図１下部）にはクラッチレバー２３が揺動自在に装着されている。クラッチレバー２３は、スプール１４がハンドル１２に連結されたクラッチオン状態と、スプール１４のハンドル１２との連結が解除されたクラッチオフ状態と、に操作するための部材である。このクラッチレバー２３により図示しないクラッチ機構をオンすると、自重による仕掛けの糸繰り出し中に、糸繰り出し動作を停止できる。
【００３３】
また、リール本体１１の内部には、スプール１４に連動して動作するレベルワインド機構（図示せず）やハンドル１２の回転をスプール１４に伝達する回転伝達機構（図示せず）等が設けられている。
【００３４】
カウンタケース１５は、図４に示すように、上下に分割された概ね箱状のケース１６を有している。ケース１６の内部は、外部に対して水密に封止されている。ケース１６には、図２及び図４に示すように、仕掛けの水深や棚位置を水面からと底からとの２つの基準で表示するための液晶ディスプレイからなる表示ユニット２０と、操作キー部２１とが設けられている。操作キー部２１は、表示ユニット２０の図２右側に配置された第１スイッチＳＷ１及び第２スイッチＳＷ２を有している。第１スイッチＳＷ１は、表示ユニット２０のオンオフ及び表示モードを上からモードと底からモードへの切り換えとを主に操作するために使用される。第２スイッチＳＷ２は、主に棚位置や底位置をセット及び仕掛けを水面に配置したときの水深を０にセットするために使用される。また第１スイッチＳＷ１及び第２スイッチＳＷ２の単独の長押し操作及び両方の長押し操作等により種々の操作を行える。例えば、表示ユニット２０がオンしているときに、第１スイッチＳＷ１を、例えば３秒以上長押し操作を行うと、表示ユニット２０をオフすることができる。また、表示ユニット２０がオンしているときに、第１スイッチＳＷ１及び第２スイッチＳＷ２を、例えば３秒以上の長押し操作を行うと、スプール回転数と糸長との関係を設定する糸巻モードに入ることができる。
【００３５】
ケース１６の内部には、図４に示すように、表示ユニット２０と、表示ユニット２０及び操作キー部２１に接続された演算部３０と、演算部３０及び表示ユニット２０への電力の供給及び二次電池３１ｂの充電に使用される太陽電池３１ａと、が配置されている。太陽電池３１ａと二次電池３１ｂによって電源部３１が構成される。太陽電池３１ａは、表示ユニット２０の側方（図４左方）に並べて配置されている。演算部３０は、ＣＰＵ，ＲＡＭ，ＲＯＭ，Ｉ／Ｏインターフェイス等を含むマイクロコンピュータを備えており、制御プログラムに従って表示制御等の各種の制御動作を実行する。
【００３６】
演算部３０には、図５に示すように、操作キー部２１と、スプールセンサ３６と、各種の警報を発するブザーからなるアラーム４０と、表示ユニット２０と、各種情報を記憶するＥＥＰＲＯＭ等の不揮発メモリからなる記憶部４１と、が接続されている。また、演算部３０には、二次電池３１ｂの電圧を検出する電圧検出部４２と、太陽電池３１ａと、二次電池３１ｂと、が接続されている。演算部３０は、太陽電池３１ａ及び二次電池３１ｂから供給された電力により動作する。演算部３０は、通常は、太陽電池３１ａで駆動されるが、太陽電池３１ａの発電量が十分ではない場合は、二次電池３１ｂにより駆動される。太陽電池３１ａは、余分の電力を二次電池３１ｂに充電する。
【００３７】
太陽電池３１ａは、図４に示すように、コイルスプリング形状で弾性を有する２つの出力端子３８により発電した電力を演算部３０に与えている。出力端子３８は、太陽電池３１ａの受光面と逆側の面（図４の下面）を付勢している。出力端子３８が接触する太陽電池３１ａの下面には、出力端子３８の錆び等を防止するために、カーボン電極が形成されている。太陽電池３１ａ及び表示ユニット２０の下方には、演算部３０が搭載された回路基板４５が設けられている。太陽電池３１ａ及び表示ユニット２０の上方には、ケース１６に設けられた開口にはめ込まれた透明樹脂製の窓部材１６ａが設けられている。出力端子３８は、回路基板４５と太陽電池３１ａとの間に圧縮状態で配置され、太陽電池３１ａを窓部材１６ａに向けて付勢している。
【００３８】
記憶部４１には、後述する糸巻モードが指定モードの際の複数種類の釣り糸の異なる長さの全長におけるスプール回転数と糸長との関係が記憶されている。例えば、超高分子量ポリエチレン製のより糸でできた、いわゆるＰＥラインの４号１００ｍと、３号１５０ｍと、２号２００ｍの糸巻データが格納されている。また、記憶部４１には、異なる型番のリールの糸巻データも格納されており、カウンタケース１５は、異なる型番の両軸受リールと共通化を図っている。
【００３９】
次に、演算部３０を含む制御系の構成について、図５に基づいて説明する。
演算部３０は、ソフトウェアによって実現される機能構成として、回転検出部５１と、回転方向検出部５２と、糸長算出部５３と、速度算出部５４と、を有している。回転検出部５１は、スプールセンサ３６のパルス出力によってスプール１４が回転しているか否かを検出する。回転方向検出部５２は、回転検出部５１がスプール１４の回転を検出すると、そのとき、いずれかの磁気検出器３６ａ，３６ｂのいずれかが先にパルス信号を出力したかによってスプール１４の回転方向が糸巻き取り方向なのか糸繰り出し方向なのかを検出する。糸長算出部５３は、回転検出部５１で検出されたスプールセンサ３６からのパルス出力と回転方向検出部５２で検出された回転方向に基づいてスプール回転数を検出するそして、検出されたスプール回転数における糸長を、記憶部４１に記憶されたスプール回転数と糸長との関係から算出し、それを仕掛けの水深として表示ユニット２０に表示する。速度算出部５４は、回転検出部５１が検出したパルス出力の単位時間当たりのパルス数によってスプール１４の回転速度を算出する。
【００４０】
このように構成された両軸受リール１０では、軸受収容部２４ｂがスプール１４の糸巻胴部１４ａの内周側に配置される。このため、スプール軸２６の第１側板１７ａ側の第１端が従来の両軸受リールに比べてハンドル１２側に近づいた位置で第１軸受２５ａによって支持される。これにより、スプール軸２６の端部及び軸受収容部２４ｂが第１側板１７ａに向かって突出することなく、第１側板１７ａを可及的にスプール１４に近づけることができ、両軸受リール１０のスプール軸方向の長さを短くすることができる。
【００４１】
＜特徴＞
上記実施形態は、下記のように表現可能である。
【００４２】
（Ａ）両軸受リール１０は、釣り竿を装着可能であり、釣り糸を前方に繰り出す両軸受リール１０である。両軸受リール１０は、ハンドル１２と、リール本体１１と、スプール１４と、スプール軸２６と、を備える。リール本体１１は、第１側板１７ａ及び第１側板１７ａに対向する第２側板１７ｂを含むフレーム１７、並びにフレーム１７に設けられ、釣り竿を装着可能な釣り竿装着部１７ｄを有する。リール本体１１は、ハンドル１２が第２側板１７ｂ側に設けられる。スプール１４は、釣り糸を巻き付け可能な筒状の糸巻胴部１４ａ、糸巻胴部１４ａの両側方に糸巻胴部１４ａよりも大径に形成された第１フランジ部１４ｂ及び第２フランジ部１４ｃ、並びに糸巻胴部１４ａの内周側に糸巻胴部１４ａと一体形成された取付部１４ｄを有する。スプール軸２６は、取付部１４ｄに一体回転可能に連結され、リール本体１１に回転自在に支持される。第１側板１７ａは、糸巻胴部１４ａの内周側に延びる筒状の軸受収容部２４ｂを有する。スプール軸２６の第１側板１７ａ側の第１端部は、糸巻胴部１４ａの内周側で軸受収容部２４ｂに収容された第１軸受２５ａによって軸受収容部２４ｂに回転自在に支持される。
【００４３】
この両軸受リール１０では、スプール軸２６の第１端部が糸巻胴部１４ａの内周側に延びる軸受収容部２４ｂに収容された第１軸受２５ａによって支持される。このため、スプール軸２６の第１側板１７ａ側の第１端が従来の両軸受リールに比べてハンドル１２側に近づいた位置で第１軸受２５ａによって支持される。これにより、スプール軸２６の端部及び軸受収容部２４ｂが第１側板１７ａに向かって突出することなく、第１側板１７ａを可及的にスプール１４に近づけることができ、両軸受リール１０のスプール軸方向の長さを短くすることができる。
【００４４】
（Ｂ）第１側板１７ａは、軸受収容部２４ｂに延設された電源収容部（側面収容部の一例）２４ｃをさらに有してもよい。この場合には、スプール軸２６の端部及び軸受収容部２４ｂが第１側板１７ａに向かって突出することなく、ハンドル１２側に近づいた第１側板１７ａが軸受収容部２４ｂに延設された電源収容部２４ｃを有するので、電源収容部２４ｃに電源等の部品を自由に収容することができ、電源等の部品を装着しても両軸受リール１０のスプール軸方向の長さを短くだけでなく、外観デザインをよりコンパクトにでき、その外観デザインの自由度も増すことができる。
【００４５】
（Ｃ）電源収容部２４ｃは、スプール１４の第１側板１７ａ側の第１フランジ部１４ｂの内周側に一部が配置されてもよい。この場合には、電源収容部２４ｃの一部がスプール１４の第１フランジ部１４ｂの内周側に配置されるので、電源収容部２４ｃがさらにハンドル１２側に接近する。これにより、電源収容部２４ｃを設けても、両軸受リール１０のスプール軸方向の長さをさらに短くすることができる。
【００４６】
（Ｄ）両軸受リール１０は、釣り糸の情報を表示する演算部３０をさらに備えてもよい。電源収容部２４ｃには、演算部３０に電力を供給する電源部３１が少なくとも収容されている。この場合には、比較的体積が大きい電源部３１を電源収容部２４ｃに収容しても両軸受リール１０のスプール軸方向の長さを短くすることができる。
【００４７】
（Ｅ）演算部３０は、回転検出部５１と、回転方向検出部５２と、糸長算出部５３と、を有してもよい。回転検出部５１は、スプール１４の回転を検出する。回転方向検出部５２は、回転検出部５１の検出結果によってスプール１４の回転方向を検出する。糸長算出部５３は、回転検出部５１および回転方向検出部５２の検出結果によって、巻き取りまたは繰り出した釣り糸の長さを算出する。この場合には、糸長を算出することによって仕掛けの水深を得ることができる。
【００４８】
（Ｆ）演算部３０は、回転検出部５１の検出結果によって、スプール１４の巻き取り速さまたは繰り出し速さを算出する速度算出部５４、を有してもよい。この場合には、糸巻取時と糸繰り出し時とでスプールの速度を得ることができる。
【００４９】
（Ｇ）両軸受リール１０は、リール本体１１の釣り竿装着部１７ｄから離れた位置に設けられたカウンタケース１５と、カウンタケース１５に収容され、演算部３０で算出された釣り糸の長さを表示する表示ユニット２０と、をさらに備えてもよい。この場合に、仕掛けの水深を釣り人が認識でき、魚が群れている棚位置に仕掛けを配置しやすい。
【００５０】
（Ｈ）演算部３０は、カウンタケース１５に収容されてもよい。この場合には、演算部３０を電源収容部２４ｃに配置しなくてもよいので、演算部３０を設けても、両軸受リール１０のスプール軸方向の長さを短くすることができる。
【００５１】
（Ｉ）リール本体１１は、第１側板１７ａの外方を覆う第１側カバー１８ａと、第２側板１７ｂの外方を覆う第２側カバー１８ｂと、をさらに有してもよい。スプール軸の第１端部とは反対側の第２端部は、第２側カバー１８ｂに装着される第２軸受２５ｂによって第２側カバー１８ｂに回転自在に支持される。この場合には、第１側カバー１８ａ及び第２側カバー１８ｂが設けられるので、両軸受リール１０の内部の機構が外部に露出しない。
【００５２】
（Ｊ）電源収容部２４ｃは、第１側カバー１８ａによって塞がれてもよい。この場合には、電源収容部２４ｃに電源等の電気部品を収納しても、電気部品に絶縁不良等の不具合が生じにくい。
【００５３】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００５４】
（ａ）前記実施形態では、手巻きの水深表示機能を有する両軸受リールを例に本発明を説明したが、両軸受リールはこれに限定されない。たとえば、水深表示機能を有さない手巻きの両軸受リール及びモータによってスプールを糸巻取方向に駆動可能な電動リールにも本発明を適用できる。
【００５５】
（ｂ）前記実施形態では、側面収容部に電源を収容したが、本発明はこれに限定されない。例えば、側面収容部に演算部及び表示ユニットを収容してもよい。また、クラッチ機構を棚位置でオン状態に駆動して仕掛けを棚位置で停止させるための、例えばソレノイドなどのアクチュエータを収容してもよい。
【００５６】
（ｃ）前記実施形態では、速度算出部の表示を明示していないが、速度算出部で算出されたスプールの回転速度を表示ユニット２０に表示してもよい。これにより、手巻きの場合でも、釣り人は一定の速度で釣り糸を巻き取ったり、繰り出したりすることができる。
【００５７】
（ｄ）前記実施形態では、側面収容部（電源収容部２４ｃ）の一部を第１フランジ部１４ｂの内周側に配置したが、本発明はこれに限定されない。側面収容部を第１フランジ部の軸方向外方に配置してもよい。
【００５８】
（ｅ）前記実施形態では、側面収容部（電源収容部２４ｃ）を第１側板１７ａに設けたが、側面収容部を設けなくてもよい。
【符号の説明】
【００５９】
１０    両軸受リール
１１    リール本体
１２    ハンドル
１４    スプール
１４ａ  糸巻胴部
１４ｂ  第１フランジ部
１４ｃ  第２フランジ部
１４ｄ  取り付け部
１５    カウンタケース
１７    フレーム
１７ａ  第１側板
１７ｂ  第２側板
２０    表示ユニット
２４ｂ  軸受収容部
２４ｃ  電源収容部
２５ａ  第１軸受
２５ｂ  第２軸受
２６    スプール軸
２０    演算部
３１ａ  太陽電池
３１ｂ  二次電池
３１    第１電源
５１    回転検出部
５２    回転方向検出部
５３    糸長算出部
５４    速度算出部
【手続補正４】
【補正対象書類名】図面
【補正対象項目名】図５
【補正方法】変更
【補正の内容】
【図５】
2014183763.tif 000001